(57)【要約】【解決手段】穿孔装置２が取り付けられる固定台６内に磁気吸着体７を設けている。磁気吸着体７の基端部側に設けた支軸１５でその磁気吸着体７を固定台６に対し回動可能に支持している。磁気吸着体７の先端部側に操作部８に対する連結軸１７を設けている。支軸１５と連結軸１７との間で磁気吸着体７に永久磁石２０を設けている。操作部８により磁気吸着体７を支軸１５を中心に回動させることにより永久磁石２０を載置部５に対し接近または離間させる。特に、磁力式固定装置１を固定状態から解放可能状態Ｑにする際、磁気吸着体７をその先端部側から基端部側へ徐々にめくり上げて永久磁石２０を載置部５から離間させることができる。【効果】操作部８に与える力を小さくして磁力式固定装置１を固定状態から解放可能状態Ｑにする作業を容易にすることができる。【選択図】図３
2005342807.tif 000002
【特許請求の範囲】
【請求項１】
機能部が取り付けられる固定台内に設けた磁気吸着体の磁力によりその固定台を載置部に固定するようにした磁力式固定装置において、前記磁気吸着体の基端部側に設けた回動支点部でその磁気吸着体を前記固定台に対し回動可能に支持し、この磁気吸着体の先端部側に操作部に対する連結部を設けるとともに、この回動支点部と連結部との間でこの磁気吸着体に永久磁石を設け、前記操作部により磁気吸着体を回動支点部を中心に回動させることによりこの永久磁石を前記載置部に対し接近または離間させるようにしたことを特徴とする磁力式固定装置。
【請求項２】
前記磁気吸着体において回動支点部と連結部との間の永久磁石を前記載置部に対し離間させた解放可能状態でその永久磁石がこの載置部に対し離間する距離は、回動支点部側から連結部側へ向うほど大きくなるように設定されていることを特徴とする請求項１に記載の磁力式固定装置。
【請求項３】
前記磁気吸着体において回動支点部と連結部との間を複数の領域に区分し、その各領域のうち、回動支点部に隣接する基端部側領域に永久磁石を配設せずにその基端部側領域以外の領域に永久磁石を配設するか、または、その基端部側領域に配設した永久磁石の磁力をその基端部側領域以外の領域に配設した永久磁石の磁力よりも弱くしたことを特徴とする請求項１または請求項２に記載の磁力式固定装置。
【請求項４】
前記固定台は、前記磁気吸着体の永久磁石と前記載置部との間に介在された磁性体である載置壁部を有していることを特徴とする請求項１または請求項２または請求項３に記載の磁力式固定装置。
【請求項５】
前記機能部は穿孔装置であって、前記固定台に取り付けられた電動モータと、この電動モータの頭部側に支持されてその電動モータにより回転するカッター取付軸とを備え、このカッター取付軸は前記磁気吸着体の先端部側に隣接して固定台の外側で配設され、前記操作部は前記磁気吸着体の連結部を移動させる操作ハンドルを備え、この操作ハンドルはカッター取付軸に対し反対側になる電動モータの尻部側に隣接して固定台の外側で磁気吸着体の回動方向に沿って移動することを特徴とする請求項１から請求項４のうちいずれかの請求項に記載の磁力式固定装置。
【発明の詳細な説明】
【技術分野】
【０００１】
本発明は、穿孔装置などの機能部が取り付けられる固定台内に設けた磁気吸着体の磁力によりその固定台を載置部に固定するようにした磁力式固定装置に関するものである。
【背景技術】
【０００２】
従来の磁力式固定装置１を付設した穿孔機を図４（ａ）に示す。この磁力式固定装置１においては、操作ハンドル２２を回動させると、固定台６内で複数の永久磁石２０を有する磁気吸着体７が上下方向へ平行移動し、図４（ｂ）に示す固定状態Ｐと、図４（ｃ）に示す解放可能状態Ｑとを取り得る。この固定状態Ｐでは、各永久磁石２０の磁力により固定台６が載置部５上に吸着される。この解放可能状態Ｑでは、各永久磁石２０が載置部５に対し一定距離Ｇだけ平均的に離間して各永久磁石２０の磁力が弱まり、固定台６を載置部５上から離すことができる。
【発明の開示】
【発明が解決しようとする課題】
【０００３】
しかし、磁気吸着体７の各永久磁石２０を同時に一定距離Ｇまで浮き上がらせるには、固定状態Ｐにおける総磁力に打ち勝つ力を操作ハンドル２２に対し一度に与える必要があるため、その操作力が大きくなり、磁力式固定装置１を固定状態Ｐから解放可能状態Ｑにする作業が行いにくくなっていた。
【０００４】
この発明は、磁力式固定装置を固定状態から解放可能状態にする作業を容易にすることを目的としている。
【課題を解決するための手段】
【０００５】
後記実施形態の図面（図１〜３）の符号を援用して本発明を説明する。
請求項１の発明にかかる磁力式固定装置（１）は下記のように構成されている。
この磁力式固定装置（１）においては、機能部（２）が取り付けられる固定台（６）内に設けた磁気吸着体（７）の磁力によりその固定台（６）を載置部（５）に固定するようにしている。前記磁気吸着体（７）の基端部側に設けた回動支点部（１５）でその磁気吸着体（７）を前記固定台（６）に対し回動可能に支持している。この磁気吸着体（７）の先端部側に操作部（８）に対する連結部（１７）を設けている。この回動支点部（１５）と連結部（１７）との間でこの磁気吸着体（７）に永久磁石（２０）を設けている。前記操作部（８）により磁気吸着体（７）を回動支点部（１５）を中心に回動させることにより、この永久磁石（２０）を前記載置部（５）に対し接近または離間させるようにしている。
【０００６】
請求項１の発明を前提とする請求項２の発明においては、前記磁気吸着体（７）で回動支点部（１５）と連結部（１７）との間の永久磁石（２０）を前記載置部（５）に対し離間させた解放可能状態（Ｑ）でその永久磁石（２０）がこの載置部（５）に対し離間する距離（Ｇ）は、回動支点部（１５）側から連結部（１７）側へ向うほど大きくなるように設定されている。
【０００７】
請求項１または請求項２の発明では、磁力式固定装置（１）を図２（ａ）の固定状態（Ｐ）から図３（ａ）の解放可能状態（Ｑ）にする際、磁気吸着体（７）をその先端部側から基端部側へ徐々にめくり上げて永久磁石（２０）を載置部（５）から離間させることができる。そのため、従来技術の場合と比較して、操作部（８）に与える力を小さくすることができる。
【０００８】
請求項１または請求項２の発明を前提とする請求項３の発明においては、前記磁気吸着体（７）で回動支点部（１５）と連結部（１７）との間を複数の領域（Ａ，Ｂ，Ｃ）に区分し、その各領域（Ａ，Ｂ，Ｃ）のうち、回動支点部（１５）に隣接する基端部側領域（Ａ）に永久磁石（２０）を配設せずにその基端部側領域（Ａ）以外の領域（Ｂ，Ｃ）に永久磁石（２０）を配設するか、または、その基端部側領域（Ａ）に配設した永久磁石（２０）の磁力をその基端部側領域（Ａ）以外の領域（Ｂ，Ｃ）に配設した永久磁石（２０）の磁力よりも弱くしている。請求項３の発明では、永久磁石（２０）が載置部（５）に対し離間する距離（Ｇ）が小さくなりがちとなる磁気吸着体（７）の基端部側領域（Ａ）で磁力がなくなるか又は弱まるので、操作部（８）に与える力を小さくすることができる。
【０００９】
請求項１または請求項２または請求項３の発明を前提とする請求項４の発明において、前記固定台（６）は、前記磁気吸着体（７）の永久磁石（２０）と前記載置部（５）との間に介在された磁性体である載置壁部（１３）を有している。請求項４の発明では、永久磁石（２０）に載置部（５）上の異物が吸着しにくくなって磁気吸着体（７）を保護することができる。
【００１０】
請求項１から請求項４のうちいずれかの請求項の発明を前提とする請求項５の発明は下記のように構成されている。
前記機能部は穿孔装置（２）であって、前記固定台（６）に取り付けられた電動モータ（３）と、この電動モータ（３）の頭部側に支持されてその電動モータ（３）により回転するカッター取付軸（４）とを備えている。このカッター取付軸（４）は前記磁気吸着体（７）の先端部側に隣接して固定台（６）の外側で配設されている。前記操作部（８）は前記磁気吸着体（７）の連結部（１７）を移動させる操作ハンドル（２２）を備えている。この操作ハンドル（２２）はカッター取付軸（４）に対し反対側になる電動モータ（３）の尻部側に隣接して固定台（６）の外側で磁気吸着体（７）の回動方向（Ｚ）に沿って移動する。請求項５の発明では、請求項１から請求項４のうちいずれかの請求項の発明の効果を穿孔機において発揮させることができる。
【発明の効果】
【００１１】
本発明は、磁力式固定装置（１）を固定状態（Ｐ）から解放可能状態（Ｑ）にする作業を容易にすることができる。
【発明を実施するための最良の形態】
【００１２】
以下、本発明の一実施形態にかかる磁力式固定装置を付設した穿孔機について図１〜３を参照して説明する。
図１（ａ）（ｂ）及び図３（ａ）に示す穿孔機においては、図２（ａ）（ｂ）及び図３（ｂ）に示す磁力式固定装置１上に機能部としての穿孔装置２が設置されている。この穿孔装置２は、電動モータ３と、この電動モータ３の頭部側に支持されてその電動モータ３により回転するカッター取付軸４とを備えている。この磁力式固定装置１は、載置部５上に固定される固定台６と、この固定台６の内側に設けられた磁気吸着体７と、この固定台６の外側に設けられてこの磁気吸着体７に連結された操作部８とを備えている。
【００１３】
前記磁力式固定装置１の固定台６は、上壁部９と前壁部１０と後壁部１１と左右の側壁部１２と下壁部１３（磁性体である薄い載置壁部）とを有し、それらの各壁部９，１０，１１，１２，１３間でこの固定台６の内側に収容室１４が形成されている。前記穿孔装置２の電動モータ３はこの固定台６の上壁部９の上側に取り付けられている。前記穿孔装置２のカッター取付軸４はこの固定台６の前壁部１０の外側に配設されている。
【００１４】
前記磁力式固定装置１の磁気吸着体７においては、前記固定台６内の収容室１４における後壁部１１付近の内側で左右両側壁部１２の後部間に架設された支軸１５（回動支点部）に対し回動可能に挿嵌された後側の左右両支持ブロック１６と、この収容室１４における前壁部１０付近の内側で連結軸１７（連結部）に対し回動可能に挿嵌された前側の左右両支持ブロック１８との間に支持板１９が架設され、その支持板１９の下側で複数の永久磁石２０がねじ２０ａにより着脱可能に配設されている。前記固定台６の下壁部１３はこの磁気吸着体７の各永久磁石２０と前記載置部５との間に介在されている。この各永久磁石２０の表面積及び磁力は互いに等しくなっている。
【００１５】
前記磁気吸着体７において支持板１９の下側で支軸１５と連結軸１７との間を複数の領域（例えば、支軸１５に隣接する基端部側領域Ａと、連結軸１７に隣接する先端部側領域Ｂと、その基端部側領域Ａと先端部側領域Ｂとの間の中間領域Ｃ）に区分した場合、その各領域Ａ，Ｂ，Ｃのうち、基端部側領域Ａに永久磁石２０を配設せず、その基端部側領域Ａ以外の領域Ｂ，Ｃに永久磁石２０を配設している。しかも、中間領域Ｃにおける永久磁石２０の数（２個）は先端部側領域Ｂにおける永久磁石２０の数（１２個）よりも少なくなっている。従って、磁力は先端部側領域Ｂ、中間領域Ｃ、基端部側領域Ａの順で弱くなる。また、図示しないが、基端部側領域Ａにも永久磁石２０を配設してもよいが、その場合も磁力は基端部側領域Ａ以外の領域Ｂ，Ｃよりも基端部側領域Ａを弱くする。
【００１６】
前記磁力式固定装置１の操作部８においては、前記電動モータ３の左右両側で前記固定台６の上壁部９の前部上に取着された左右両ブラケット２１に対しそれぞれ操作ハンドル２２が軸部２３で回動可能に支持されているとともに、この左右両操作ハンドル２２で軸部２３から前方へ延設された腕部２２ａに対し連動リンク２４が軸部２５で回動可能に支持され、固定台６の左右両側壁部１２の前部に形成された長孔２６に挿通された前記連結軸１７の左右両端部にこの左右両連動リンク２４が回動可能に支持されている。前記左右両操作ハンドル２２で軸部２３から後方へ延設された腕部２２ｂは、カッター取付軸４に対し反対側になる電動モータ３の尻部側で連動桿２７により互いに連結されている。
【００１７】
図１（ａ）及び図２（ａ）に示すように、磁力式固定装置１において固定台６を載置部５上に載せた状態から、操作部８で左右両操作ハンドル２２を引き上げると、磁気吸着体７で連結軸１７が左右両連動リンク２４により押し下げられ、支持板１９が支軸１５を中心に上下方向（回動方向Ｚ）へ回動して各永久磁石２０の下端面が固定台６の下壁部１３の内側に接近して圧接される。従って、各永久磁石２０により固定台６の下壁部１３が磁化され、その磁力により固定台６が載置部５上に吸着される固定状態Ｐとなる。
【００１８】
図３（ａ）及び図３（ｂ）に示すように、磁力式固定装置１において固定台６が載置部５上に吸着された前記固定状態Ｐから、操作部８で左右両操作ハンドル２２を押し下げると、磁気吸着体７で連結軸１７が左右両連動リンク２４により引き上げられ、支持板１９が支軸１５を中心に上下方向（回動方向Ｚ）へ回動して磁気吸着体７がその先端部側から基端部側へ徐々にめくり上げられように傾き、各永久磁石２０が固定台６の下壁部１３の内側から離間する。この各永久磁石２０の下端面を結ぶ平坦面をＦとした場合、その平坦面Ｆが載置部５や下壁部１３に対し離間する距離Ｇは、支軸１５側から連結軸１７側へ向うほど大きくなるように設定されている。従って、下壁部１３による磁力が弱まり、固定台６を載置部５上から離すことができる解放可能状態Ｑとなる。
【図面の簡単な説明】
【００１９】
【図１】（ａ）は本実施形態にかかる磁力式固定装置を付設した穿孔機において固定状態を示す側面図であり、（ｂ）は同じく平面図である。
【図２】（ａ）は固定状態にある上記磁力式固定装置を示す図１（ａ）の部分断面図であり、（ｂ）はこの磁力式固定装置の磁気吸着体を底面側から見た部分断面図である。
【図３】（ａ）は本実施形態にかかる磁力式固定装置を付設した穿孔機において解放可能状態を示す側面図であり、（ｂ）は解放可能状態にある上記磁力式固定装置を示す（ａ）の部分断面図である。
【図４】（ａ）は従来の磁力式固定装置を付設した穿孔機において固定状態を示す側面図であり、（ｂ）は固定状態にある上記磁力式固定装置を示す（ａ）の部分断面図であり、（ｃ）は解放可能状態にある上記磁力式固定装置を示す（ａ）の部分断面図である。
【符号の説明】
【００２０】
１…磁力式固定装置、２…穿孔装置（機能部）、３…電動モータ、４…カッター取付軸、５…載置部、６…固定台、７…磁気吸着体、８…操作部、１３…下壁部（載置壁部）、１５…支軸（回動支点部）、１７…連結軸（連結部）、２０…永久磁石、２２…操作ハンドル、Ｇ…永久磁石が載置部に対し離間する距離、Ｚ…磁気吸着体の回動方向、Ａ…基端部側領域、Ｂ…先端部側領域、Ｃ…中間領域、Ｐ…固定状態、Ｑ…解放可能状態。
【図１】
2005342807.tif 000003
【図２】
2005342807.tif 000004
【図３】
2005342807.tif 000005
【図４】
2005342807.tif 000006